(57)【特許請求の範囲】
【請求項１】
圧搾変形可能な尾部を有し、その尾部の圧搾と初期形状への復原を誘導することにより該尾部につながるノズルを通して容器本体に充填された内容物を吸い上げるとともに吸い上げにかかる内容物を滴下させるスポイトを備えた容器であって、
前記容器本体に、該容器本体の口頚部において吊り下げ保持され、その上部開放端を通して前記ノズルを挿入する一方、その下部開放端を通して容器本体内の内容物を該ノズルにて吸い上げる中栓を設け、
該ノズルは、その先端部を全周にわたって取り囲むとともに、該中栓の内周壁に液密状態を維持したまま摺動可能に当接する弾性シール部を有し、
該中栓の内周壁に、該弾性シール部の摺動中に液密状態を一時的に解除する少なくとも１つの凹所を設けたことを特徴とするスポイト付き容器。
【請求項２】
前記凹所は、前記中栓の高さ方向の中央部から前記下部開放端側に向けて延びる縦溝であることを特徴とする請求項１に記載したスポイト付き容器。
【請求項３】
前記ノズルは、該ノズルが前記中栓に最も深く挿入された装着完了姿勢で、その端面が該中栓の底壁座部に当接、シール状態に保持して前記下部開放端に連通する先端部を有することを特徴とする請求項１または２に記載したスポイト付き容器。
【請求項４】
前記弾性シール部は、前記ノズルの外周壁に一体連結した環状帯からなり、
該環状帯は、その中央部が外方に向けて張り出し、その張出部分を該中栓の内周壁に当接させて液密状態に保持する湾曲断面形状を有することを特徴とする請求項１〜３のいずれか１項に記載したスポイト付き容器。
【請求項５】
前記中栓は、下部開口端を経て前記容器本体の底壁コーナー部へ達する吸引管を有することを特徴とする請求項１〜４のいずれか１項に記載したスポイト付き容器。
【発明の詳細な説明】
【技術分野】
【０００１】
本発明は、容器本体内に充填された内容物（液状物）をスポイトを使って適量注出するのに好適なスポイト付き容器に関するものである。
【背景技術】
【０００２】
スポイト付きの容器は、容器本体内に充填された内容物を少量取り出すのに有用な容器であって、薬剤等を入れた容器として多用されている。
【０００３】
かかる容器において容器本体内に充填された内容物を取り出すに当たっては、スポイトの尾部（ドーム状あるいは蛇腹状をなすもの）の圧搾と初期形状への復原を誘導し、該尾部につながるノズルを通して容器本体内の内容物を吸い上げ、かつ、その吸上げにかかる内容物を所望の箇所に滴下させる使用形態を採るのが普通であり、この点に関する先行文献としては、例えば特許文献１が参照される。
【先行技術文献】
【特許文献】
【０００４】
【特許文献１】実公平０７―１６６２４号公報
【０００５】
上記文献に開示のスポイト付き容器は、具体的には、口頸部を起立する容器体と、該容器体内底部まで垂下させた細長管の上部を口頸部上方へ突出させて、該突出部分外面に下面開口の袋状弾性キャップ口部を嵌着すると共に、該口部下端面を該口頸部上端面に載置したスポイト体と、該口部外面に第一周壁の上端部を嵌着して、該第一周壁を該口頸部外面へ着脱自在に嵌合し、該第一周壁前部上端からヒンジを介して第一板状部を起立した作動部材と、該作動部材の第一周壁外面に第二周壁を嵌着すると共に、該第二周壁上端から該第一板状部との間に該弾性キャップを介在させて第二板状部を起立したカバー部材とからなり、該第一板状部を後方へ押し込んだときに、該弾性キャップを圧搾可能とした構造からなるものであって、これによれば、スポイト付き容器で問題となっていた弾性キャップの圧搾を確実に行うことができるとされていた。
【０００６】
ところで、従来のこの種の容器は、内容物を吸い上げる際、スポイトのノズル（先行文献１でいうところの細長管）を内容物中に浸漬させるため、その外周面に内容物が付着するのが不可避であり、内容物を滴下させるときに、該ノズルの外周面に付着した内容物がたれ落ちる不具合を有しており、この点に関しては未だ改善の余地が残されている。
【発明の開示】
【発明が解決しようとする課題】
【０００７】
本発明の課題は、内容物のたれ落ちの原因となるノズル外表面への内容物の付着を回避できるスポイト付き容器を提案するところにある。
【課題を解決するための手段】
【０００８】
本発明は、圧搾変形可能な尾部を有し、その尾部の圧搾と初期形状への復原を誘導することにより該尾部につながるノズルを通して容器本体に充填された内容物を吸い上げるとともに吸い上げにかかる内容物を滴下させるスポイトを備えた容器であって、前記容器本体に、該容器本体の口頚部において吊り下げ保持され、その上部開放端を通して前記ノズルを挿入する一方、その下部開放端を通して容器本体内の内容物を該ノズルにて吸い上げる中栓を設け、該ノズルは、その先端部を全周にわたって取り囲むとともに、該中栓の内周壁に液密状態を維持したまま摺動可能に当接する弾性シール部を有し、該中栓の内周壁に、該弾性シール部の摺動中に液密状態を一時的に解除する少なくとも１つの凹所を設けたことを特徴とするスポイト付き容器である。
【０００９】
上記の構成からなるスポイト付き容器においては、
１）前記凹所は、前記中栓の高さ方向の中央部から前記下部開放端側に向けて延びる縦溝であること、
２）前記ノズルは、該ノズルが前記中栓に最も深く挿入された装着完了姿勢で、その端面が該中栓の底壁座部に当接、シール状態に保持して前記下部開放端に連通する先端部を有すること、
３）前記弾性シール部は、前記ノズルの外周壁に一体連結した環状帯からなり、該環状帯は、その中央部が外方に向けて張り出し、その張出部分を該中栓の内周壁に当接させて液密状態に保持する湾曲断面形状（返り形状）を有すること、さらに、
４）前記中栓は、下部開口端を経て前記容器本体の底壁コーナー部へ達する吸引管を有すること、
が課題解決のための具体的手段として望ましい。
【発明の効果】
【００１０】
本発明のスポイト付き容器によれば、容器本体に、該容器本体の口頚部において吊り下げ保持され、その上部開放端を通して前記ノズルを挿入せしめる一方、その下部開放端を通して容器本体内の内容物を該ノズルにて吸い上げる中栓を設け、該ノズルに、その先端部を全周にわたって取り囲むとともに、該中栓の内周壁に液密状態を維持したまま摺動可能に当接する弾性シール部を設けるようにしたため、容器本体内の内容物を吸い上げる際に該内容物がノズルの外周面に付着することがない。
【００１１】
また、本発明によれば、中栓の内周壁に、該弾性シール部の摺動中に液密状態を一時的に解除する少なくとも１つの凹所を設けたことにより、スポイトのノズル挿入時あるいはノズルの引き抜き時に容器本体内の圧力が過剰に上昇したり、極端に負圧化されることがない（外気置換）。
【００１２】
また、本発明によれば、凹所を、中栓の高さ方向の中央部から下側（下部開放端側）に向けて延びる縦溝とすることにより、スポイトのノズルのスムーズな挿入、抜き出しが可能となる。
【００１３】
本発明によれば、ノズルに、中栓に最も深く挿入された装着完了姿勢においてその端面が該中栓の底壁に当接、シール状態を保持して下部開放端に連通する先端部を設けたことにより、容器本体内に充填された内容物の効率的な吸い上げが可能となる（内容物の残量を極力少なくできる）。
【００１４】
また、本発明によれば、弾性シール部を、ノズルの外周壁に一体連結した環状帯からなるものとし、それを、その中央部が外方に向けて張り出し、その張出部分を該中栓の内周壁に当接させて液密状態に保持する湾曲断面形状とするものとすることにより、ノズルと中栓との間への内容物の侵入を確実に回避し得る。
【００１５】
さらに、本発明によれば、中栓に、下部開口端を経て容器本体の底壁コーナー部へ達する吸引管を設けることにより、容器本体内に充填された内容物の残量を極力少なくすることができるとともに、スポイトのノズルの長さを短縮することが可能となる（スポイトのコンパクト化）。
【図面の簡単な説明】
【００１６】
【図１】本発明にしたがうスポイト付き容器の実施の形態を模式的に示した図である。
【図２】（ａ）〜（ｆ）は、図１に示したスポイト付き容器の使用状態を段階的に示した図である。
【図３】（ａ）〜（ｄ）は、図１に示したスポイト付き容器の使用状態を段階的に示した図である。
【発明を実施するための最良の形態】
【００１７】
以下、図面を参照して本発明をより具体的に説明する。
図１は、本発明に従うスポイト付き容器の実施の形態を模式的に示した図である。
【００１８】
図１における符号１は、内容物を充填する容器本体である。容器本体１としては、頂部に口頚部１ａを有し、該口頚部１ａにつながる肩部１ｂ、該肩部１ｂにつながる胴部１ｃ、該胴部１ｃにつながる底部１ｄにてその内側に内容物の充填空間を形成するボトル形状からなるものを例として示したが、容器本体１の形状は図示のものに限定されない。また、容器本体１は、ポリエチレンテレフタレート、ポリプロピレン等の合成樹脂やガラス等で成形される。
【００１９】
また、２は、容器本体１の口頚部１ａに着脱自在に装着されるスポイトである。スポイト２は、手指等により力を加えることによって圧搾可能で、かつ、その力を解除することにより初期形状への復原を可能とするドーム状の尾部２ａ（蛇腹状のものでもよく、その形状および形態は限定されない。）と、この尾部２ａの下端開放部にその上端部が例えば嵌合形式でつながり、該尾部２ａの圧搾、初期形状への復原によって容器本体１に充填された内容物を吸い上げるとともに吸い上げにかかる内容物を滴下する筒状のノズル２ｂと、尾部２ａの基端に一体的に設けられ、容器本体１の口頚部１ａの外周壁へのねじ止めにてスポイト２を装着完了姿勢に保持するとともに容器本体１を密閉状態に維持するベースキャップ２ｃから構成されている。なお、ベースキャップ２ｃは、アンダーカット嵌合によって容器本体１の口頚部１ａに着脱自在に装着されるものを適用することもできる。
【００２０】
ノズル２ｂとしては、本体部分をなす軸部２ｂ１と、この軸部２ｂ１につながり、中栓（後述する）に最も深く挿入された装着完了姿勢で、その端面が中栓の底壁座部に当接、シール状態を保持して該中栓の下部開放端に連通する筒状の先端部２ｂ２とで構成することが可能であり、この場合、先端部２ｂ２はノズル２ｂの軸部２ｂ１の径よりも小さい小径筒を適用することができる。
【００２１】
スポイト２の尾部２ａ、ノズル２ｂは、例えば、直鎖状低密度ポリエチレン（ＬＬＤＰＥ）の如き合成樹脂にて成形することが可能で、とくに、尾部２ａについては確実な圧搾と初期形状への復原を可能とするためにゴムの如き弾性部材を、例えばインサート成形等や別部材により部分的に適用してもよい。
【００２２】
また、３は、容器本体１の口頚部１ａにおいて吊り下げ保持された円筒状の中栓である。この中栓３は、ポリプロピレン（ＰＰ）等の合成樹脂にて成形することができるものであって、その上部開放端３ａを通してスポイト２のノズル２ｂを挿入せしめる内部空間を有し、その下端部に設けられた小径管３ｂの下部開放端３ｃを通して容器本体１内の内容物をノズル２ｂにて吸い上げるガイド兼シリンダーとしての機能を備えている。中栓３の底壁には、ノズル２ｂの先端部２ｂ２の端面が当接してシール状態を保持する底壁座部３ｄが形成されている。
【００２３】
中栓３を容器本体１の口頚部１ａに吊下げ保持するには、例えば、上部開放端３ａにフランジ部３ｅを設け、このフランジ部３ｅを容器本体１の口頚部１ａの上端面に載置して位置決めするとともに、中栓３の上端部（大径部）３ｆを該口頚部１ａの内周壁に嵌合させればよい。なお、中栓３の吊下げ構造は種々変更可能であり、図示のものに限定されることはない。
【００２４】
また、４は、ノズル２ｂの先端部２ｂ２の基部で該ノズル２ｂの軸部２ｂ１の外面に一体的に設けられた弾性シール部である。この弾性シール部４は、中栓３の内周壁に液密状態で当接し、かつ、該ノズル２ｂの移動（スポイトの抜き出し、挿入による移動）に追随して摺動可能なものからなっている。
【００２５】
弾性シール部４としては、具体的には、ノズル２ｂの先端部２ｂ２の軸方向の全域もしくは一部分を隙間を隔てて全周にわたって取り囲む片持ち支持タイプの環状帯が適用される。
【００２６】
弾性シール部４の断面形状としては、中栓３の内周壁に対面する中央部が外方に向けて張り出し、その張出部分が該中栓３の内周壁に当接して液密状態に保持する湾曲断面形状（Ｒが付された樽型の返り形状）を有するものとするのがとくに望ましい。
【００２７】
弾性シール部４は、弾性変形が可能な例えば、ＬＬＤＰＥの如き合成樹脂にて成形することができるが、確実なシールを実現するためゴムの如き弾性部材を、例えばインサート成形等や別部材により部分的に適用することも可能である。
【００２８】
また、５は、中栓３の内周壁に設けられ、弾性シール部４の摺動中に液密状態を一時的に解除する凹所である。
【００２９】
凹所５は、容器本体１内の過剰な加圧、負圧を解除（外気置換）する機能を有するものである。この凹所５を設けることにより、ノズル１ｂを中栓３の内部空間へ挿入するとき、容器本体１内が過剰に加圧されるのを防止する一方、該ノズル１ｂを中栓３からの引き抜くときに容器本体１内が極端に負圧となるのを回避することができる。凹所５としては、中栓３の高さ方向の中央部から下部開放端３ｃ側へ向けて延びる縦溝を適用することができる他、窪みあるいは中栓３の内周壁を周回する横溝等を適用することも可能であり、縦溝に限定されることはない。
【００３０】
凹所５の形成位置は、ノズル２ａの外周面への内容物の付着を確実に回避する観点から、ノズル２ｂが中栓３に最も深く挿入された装着完了姿勢（ノズル２ｂの先端部２ｂ２の端面が中栓３の底壁座部３ｄに当接して該中栓３の下部開放端３ｃに連通する姿勢。）で、弾性シール部４が中栓３の内周壁に当接して液密状態に保持することができるように、その上方部位に凹所５の下端が位置するように設けるのが好ましい。
【００３１】
例えば、凹所５として縦溝を１本設け、内容物が水と同等程度の粘性を有するものである場合、縦溝の幅は０．１〜１．０ｍｍ程度とし、その長さについては、中栓３の長さの４０〜６０％程度とし、その深さについては、０．１〜０．３ｍｍ程度とするのがよい。ただし、内容物の粘度や凹所５の個数（縦溝の本数）により、上記範囲は適宜変更することができる。
【００３２】
さらに、符号６は、一端が中栓３の小径管３ｂに嵌合し他端が容器本体１の底壁コーナー部へ達する長さに設定された吸引管である。この吸引管６を通して容器本体１内の内容物がノズル２ｂに吸い上げられるため、内容物の残量を少なくすることができる。なお、吸引管６は、容器本体１の底壁コーナー部へ達する長さに設定されたものを例としたが、内容物の残量を少なくできるものであればよく、図示のものに限定されることはない。
【００３３】
図２（ａ）〜（ｆ）は、上記の構成からなるスポイト付き容器につき、その容器の使用状況を段階的に示した図である。
【００３４】
容器本体１内の内容物をスポイト２にて取り出すには、まず、スポイト２の、容器本体１への装着状態、すなわち図２（ａ）に示すような状態で、スポイト２の尾部２ａを圧搾するとともに、圧搾にかかる力を取り除いて該尾部２ａを初期形状に復原させる。これにより容器本体１内の内容物が、中栓３の小径管３ｂにつながる吸引管６を介してノズル２ｂに適量吸い上げられる。
【００３５】
そして、次に、図２（ｂ）〜（ｅ）に示すように、スポイト２を容器本体１から取り外し（引き上げ）、さらに所定の位置で図２（ｆ）に示す如く、尾部２ａを再度圧搾すればよい。
【００３６】
本発明にしたがうスポイト付き容器は、弾性シール部４が凹所５を通過するとき、容器本体１内の負圧が解除され、図２（ｂ）に示すように、容器本体１内の内容物が中栓３の内部空間内へ引き上げられることはない。一方、該弾性シール部４が凹所５を通過し中栓３の内部空間から抜け出すまでの間は容器本体１内が負圧化されて、図２（ｃ）に示すように、容器本体１内の内容物が中栓３の内部空間内へ引き上げられて液面のレベル変動が起きるが、ノズル２ｂと中栓３との間は弾性シール部４にて液密状態に保持されているため、その間への内容物の侵入が阻止されることとなり、従来のように、内容物のたれ落ちにつながるようなスポイト２の外表面への内容物の付着は起こり難い。
【００３７】
図３（ａ）〜（ｄ）は、内容物の滴下を終えたスポイト２を、中栓３の内部空間に挿入する状況を段階的に示した図である。
【００３８】
スポイト２を中栓３の内部空間に挿入する前は、図３（ａ）に示すように、容器本体１内に充填された内容物の液面レベルと中栓３の内部空間に存在する内容物の液面レベルはほぼ同等である。スポイト２のノズル２ｂを中栓３の内部空間に挿入し下部開放端３ｃへ向けて押し込むと、中栓３内の内容物は加圧され、図３（ｂ）に示すように下部開放端３ｃを通して容器本体１内へと押しやられる。そして、弾性シール部４が凹所５の通過中に加圧が解除され、図３（ｃ）に示すように、容器本体１内の内容物が再び中栓３の内部空間へ入り込むことになるが、ノズル２ｂの先端部２ｂ２の端面が中栓３の底壁座部３ｄに当接、シール状態に保持された時点で、図３（ｄ）に示すように、中栓３の内部空間に存在する内容物のほとんどが中栓３の小径管３ｂへと押し戻される。本発明のスポイト付き容器は、このような、スポイト２のノズル２ｂを中栓３の内部空間に挿入する場合においても、ノズル２ｂと中栓３との間は弾性シール部４にて液密状態に保持されたままであり、その間へ内容物が侵入し難く、したがって内容物の垂れ落ちの原因となるノズル２ｂの外周面への内容物の付着は抑制される。
【００３９】
本発明にしたがうスポイト付き容器は、ノズル２ｂの外周面に内容物が付着するのを回避することが可能である他に、吸引管６につながる中栓３を設けたことにより、スポイトの短尺化（コンパクト化）を図りつつ内容物の残量を極力少なくできる利点をも有している。
【産業上の利用可能性】
【００４０】
本発明によれば、容器本体内に充填された内容物がスポイトのノズル外周面に付着するのを回避できる。また、本発明によれば、スポイトのコンパクト化、内容物の残量の軽減を図ることが可能となる。
【符号の説明】
【００４１】
１      容器本体
１ａ    口頚部
１ｂ    肩部
１ｃ    胴部
１ｄ    底部
２      スポイト
２ａ    尾部
２ｂ    ノズル
２ｃ    ベースキャップ
３      中栓
３ａ    上部開放端
３ｂ    小径管
３ｃ    下部開放端
３ｄ    底壁座部
３ｅ    フランジ部
３ｆ    上端部
４      弾性シール部
５      凹所
６      吸引管
【図１】
0006476103.tif 000002
【図２】
0006476103.tif 000003
【図３】
0006476103.tif 000004